【手続補正書】
【提出日】令和2年12月24日(2020.12.24)
【手続補正１】
【補正対象書類名】特許請求の範囲
【補正対象項目名】全文
【補正方法】変更
【補正の内容】
【特許請求の範囲】
【請求項１】
薬物を自己投与するための止血帯であって、前記止血帯は、
第１の端部および第２の端部と、前記第１の端部と前記第２の端部との間に延びている縦方向軸とを含む細長い部材であって、前記細長い部材は、患者の肢の周りに巻き付けるために適合されている、細長い部材と、
記録モジュールと
を備え、
前記記録モジュールは、ａ）前記細長い部材をスライド可能に受け取るための前記記録モジュールを通して延びているスロットと、ｂ）前記細長い部材の前記第２の端部を解放可能に捕獲するための留め端部とを含み、
前記細長い部材が前記患者の肢の周りに巻き付けられ、前記細長い部材の前記第２の端部が前記留め端部によって捕獲されることによって、前記第２の端部が前記記録モジュールに固定されているとき、前記細長い部材の前記第１の端部を前記第２の端部から離れるほうに前記縦方向に引っ張ることに応答して、ａ）前記止血帯は、前記肢の周りにしっかりと締まり、ｂ）前記記録モジュールは、前記止血帯を使用して薬物を自己投与する前記患者のタイムスタンプを記録に保存する、止血帯。
【請求項２】
前記記録モジュールは、前記患者が前記薬物の強度および投薬量を確認することに応答して、確認タイムスタンプを保存する、請求項１に記載の止血帯。
【請求項３】
前記記録モジュールに電気的に結合された電極をさらに備え、前記電極は、前記止血帯が前記患者の肢の周りにしっかりと締められているとき、前記患者の皮膚に接触し、前記記録モジュールは、前記電極によって測定されるガルバニック皮膚応答に応答して、前記タイムスタンプを保存するように構成されている、請求項１に記載の止血帯。
【請求項４】
前記細長い部材の前記第２の端部と前記記録モジュールの前記留め端部とは、オス型部分とメス型部分とを備えたバックルアセンブリを形成する、請求項１に記載の止血帯。
【請求項５】
前記記録モジュールは、コンピューティングデバイスと通信するための無線インターフェースを含む、請求項１に記載の止血帯。
【請求項６】
前記無線インターフェースは、ＢＬＵＥＴＯＯＴＨ（登録商標）、ＷＩＦＩ、ＺＩＧＢＥＥ（登録商標）、およびＺＷＡＶＥのうちのいずれか１つを使用して前記コンピューティングデバイスと通信する、請求項５に記載の止血帯。
【請求項７】
前記記録モジュールは、ｉ）前記記録が前記タイムスタンプおよび前記投薬量を含むように前記患者によって自己投与される前記薬物の前記投薬量を入力すること、ｉｉ）過去の記録について問い合わせること、ｉｉｉ）前記タイムスタンプを調節すること、ｉｖ）前記記録モジュールによって表示されるテキストの言語を変更すること、または、ｖ）それらの組み合わせのためのディスプレイおよび１つ以上のキーを含む、請求項１に記載の止血帯。
【請求項８】
前記記録モジュールは、機能キーを含み、前記機能キーは、少なくとも所定の期間にわたって長押しされると、前記止血帯を使用して前記薬物を自己投与する前記患者の前記タイムスタンプを前記記録モジュールに保存させる、請求項１に記載の止血帯。
【請求項９】
前記記録モジュールは、前記止血帯を使用して前記薬物を自己投与する前記患者の前のタイムスタンプとともに前記記録および以前の記録を記憶するためのメモリを含む、請求項１に記載の止血帯。
【請求項１０】
前記記録モジュールは、前記記録モジュールの前記留め端部が前記細長い部材の前記第２の端部を捕獲することに応答して、聴覚的合図を提供するように構成されたオーディオアラームを含む、請求項１に記載の止血帯。
【請求項１１】
前記記録モジュールは、前記記録モジュールの前記留め端部が前記細長い部材の前記第２の端部を捕獲することに応答して、視覚的合図を提供するように構成された視覚アラームを含む、請求項１に記載の止血帯。
【請求項１２】
前記記録モジュールは、前記第２の端部が前記留め端部から解放されることに応答して、停止する、請求項１に記載の止血帯。
【請求項１３】
患者が薬物を自己投与するときを追跡する方法であって、前記方法は、
止血帯を提供することであって、前記止血帯は、
第１の端部および第２の端部と、前記第１の端部と前記第２の端部との間に延びている縦方向軸とを含む細長い部材であって、前記細長い部材は、患者の肢の周りに巻き付けるために適合されている、細長い部材と、
記録モジュールと
を備え、
前記記録モジュールは、ａ）前記細長い部材をスライド可能に受け取るために前記記録モジュールを通して延びているスロットと、ｂ）前記細長い部材の前記第２の端部を解放可能に捕獲するための留め端部とを含む、ことと、
記録を前記記録モジュール内に保存することと
を含み、
前記記録は、前記止血帯を使用して薬物を自己投与する前記患者のタイムスタンプを含み、
前記保存することは、前記細長い部材の第２の端部が前記記録モジュールの前記留め端部によって捕獲され、前記止血帯が前記肢の周りにしっかりと締められていることに応答する、方法。
【手続補正２】
【補正対象書類名】明細書
【補正対象項目名】００１２
【補正方法】変更
【補正の内容】
【００１２】
有利なこととして、スマート止血帯を使用することは、患者が自身が薬物の注入を行うときを記録することに役立つことができる。さらに、スマート止血帯の有用性は、特定の薬物に縛られず、任意の製薬会社によって作製される静脈内に投与される任意の薬物を含むように拡張されることができる。したがって、スマート止血帯は、製薬会社および患者によって同様に広く採用されることができる。
本発明は、例えば、以下を提供する。
（項目１）
薬物を自己投与するための止血帯であって、前記止血帯は、
第１の端部および第２の端部と、前記第１の端部と前記第２の端部との間に延びている縦方向軸とを含む細長い部材であって、前記細長い部材は、患者の肢の周りに巻き付けるために適合されている、細長い部材と、
記録モジュールと
を備え、
前記記録モジュールは、ａ）前記細長い部材をスライド可能に受け取るための前記記録モジュールを通して延びているスロットと、ｂ）前記細長い部材の前記第２の端部を解放可能に捕獲するための留め端部とを含み、
前記細長い部材が前記患者の肢の周りに巻き付けられ、前記細長い部材の前記第２の端部が前記留め端部によって捕獲されることによって、前記第２の端部が前記記録モジュールに固定されているとき、前記細長い部材の前記第１の端部を前記第２の端部から離れるほうに前記縦方向に引っ張ることに応答して、ａ）前記止血帯は、前記肢の周りにしっかりと締まり、ｂ）前記記録モジュールは、前記止血帯を使用して薬物を自己投与する前記患者のタイムスタンプを記録に保存する、止血帯。
（項目２）
前記記録モジュールは、前記患者が前記薬物の強度および投薬量を確認することに応答して、確認タイムスタンプを保存する、項目１に記載の止血帯。
（項目３）
前記細長い部材の前記第２の端部と前記記録モジュールの前記留め端部とは、オス型部分とメス型部分とを備えたバックルアセンブリを形成する、項目１に記載の止血帯。
（項目４）
前記記録モジュールは、コンピューティングデバイスと通信するための無線インターフェースを含む、項目１に記載の止血帯。
（項目５）
前記無線インターフェースは、ＢＬＵＥＴＯＯＴＨ（登録商標）、ＷＩＦＩ、ＺＩＧＢＥＥ（登録商標）、およびＺＷＡＶＥのうちのいずれか１つを使用して前記コンピューティングデバイスと通信する、項目４に記載の止血帯。
（項目６）
前記記録モジュールは、ｉ）前記記録が前記タイムスタンプおよび前記投薬量を含むように前記患者によって自己投与される前記薬物の前記投薬量を入力すること、ｉｉ）過去の記録について問い合わせること、ｉｉｉ）前記タイムスタンプを調節すること、ｉｖ）前記記録モジュールによって表示されるテキストの言語を変更すること、または、ｖ）それらの組み合わせのためのディスプレイおよび１つ以上のキーを含む、項目１に記載の止血帯。
（項目７）
前記記録モジュールは、機能キーを含み、前記機能キーは、少なくとも所定の期間にわたって長押しされると、前記止血帯を使用して前記薬物を自己投与する前記患者の前記タイムスタンプを前記記録モジュールに保存させる、項目１に記載の止血帯。
（項目８）
前記記録モジュールは、前記止血帯を使用して前記薬物を自己投与する前記患者の前のタイムスタンプとともに前記記録および以前の記録を記憶するためのメモリを含む、項目１に記載の止血帯。
（項目９）
前記記録モジュールは、前記記録モジュールの前記留め端部が前記細長い部材の前記第２の端部を捕獲することに応答して、聴覚的合図を提供するように構成されたオーディオアラームを含む、項目１に記載の止血帯。
（項目１０）
前記記録モジュールは、前記記録モジュールの前記留め端部が前記細長い部材の前記第２の端部を捕獲することに応答して、視覚的合図を提供するように構成された視覚アラームを含む、項目１に記載の止血帯。
（項目１１）
前記記録モジュールは、前記第２の端部が前記留め端部から解放されることに応答して、停止する、項目１に記載の止血帯。
（項目１２）
前記記録モジュールに電気的に結合された電極をさらに備え、前記電極は、前記止血帯が前記患者の肢の周りにしっかりと締められているとき、前記患者の皮膚に接触し、前記記録モジュールは、前記電極によって測定されるガルバニック皮膚応答に応答して、前記タイムスタンプを保存するように構成されている、項目１に記載の止血帯。
（項目１３）
患者が薬物を自己投与するときを追跡する方法であって、前記方法は、
止血帯を提供することであって、前記止血帯は、
第１の端部および第２の端部と、前記第１の端部と前記第２の端部との間に延びている縦方向軸とを含む細長い部材であって、前記細長い部材は、患者の肢の周りに巻き付けるために適合されている、細長い部材と、
記録モジュールと
を備え、
前記記録モジュールは、ａ）前記細長い部材をスライド可能に受け取るために前記記録モジュールを通して延びているスロットと、ｂ）前記細長い部材の前記第２の端部を解放可能に捕獲するための留め端部とを含む、ことと、
記録を前記記録モジュール内に保存することと
を含み、
前記記録は、前記止血帯を使用して薬物を自己投与する前記患者のタイムスタンプを含み、
前記保存することは、前記細長い部材の第２の端部が前記記録モジュールの前記留め端部によって捕獲され、前記止血帯が前記肢の周りにしっかりと締められていることに応答する、方法。